(57)【要約】【課題】演出用可動体を動作させる構成を簡素化し、省スペースで配設することができると共に、複数の演出用可動体を所定の契機に基づき同時に動作させて興趣の向上を図ることができる遊技機を提供する。【解決手段】可動体用モータ３５を、そのモータ軸が機前面側を向くように配設する。そして、モータ軸線上に、中可動体Ｋ１を配設する。さらに、モータ軸線上に、上可動体Ｋ２、左可動体Ｋ３及び右可動体Ｋ４に対して動力を伝達するための手段（駆動ギア３９、回転円盤４４、伝達板４６）を配設する。その結果、各可動体Ｋ１〜Ｋ４を動作させる構成（作動機構ＳＴ）が簡素化される。また、各可動体Ｋ１〜Ｋ４には、一斉に動力が与えられるため、各可動体Ｋ１〜Ｋ４が同時に動作して可動演出が行われる。【選択図】      図６
2005177013.tif 000002
【特許請求の範囲】
【請求項１】
複数の演出用可動体が遊技盤の前面側に配設され、前記演出用可動体を駆動モータによって動作させることにより遊技演出が行われる遊技機において、
前記複数の演出用可動体は、前記駆動モータのモータ軸線回りで回転動作を行う主可動体と、当該主可動体とは異なる位置に配設されて所定の動作を行う副可動体とからなり、
前記駆動モータをモータ軸が機前側を向くように配設し、モータ軸線上に前記主可動体を配設すると共に前記副可動体に対して前記駆動モータの動力を伝達する動力伝達手段とを配設し、
所定の契機に基づき、演出制御手段が前記駆動モータに所定の制御信号を出力することによって前記複数の演出用可動体を同時に動作させるように構成したことを特徴とする遊技機。
【請求項２】
前記動力伝達手段は、前記モータ軸の回転に伴い回転運動するカム板と、当該カム板が摺動案内される摺動部を有するスライド板とからなり、前記摺動部内を前記カム板が摺動案内されることにより回転運動が直線運動に変換され、前記スライド板が前記モータ軸と直交する左右方向に往復直線運動することによって前記副可動体に動力を伝達するように構成されていることを特徴とする請求項１に記載の遊技機。
【請求項３】
前記複数の演出用可動体は、複数種類の図柄を変動させて表示する表示手段を遊技盤に取り付けるための取付基板に配設されていることを特徴とする請求項１又は請求項２に記載の遊技機。
【発明の詳細な説明】
【技術分野】
【０００１】
本発明は、複数の演出用可動体を備え、その演出用可動体を動作させることにより遊技演出が行われる遊技機に関するものである。
【背景技術】
【０００２】
従来、遊技機の一種であるパチンコ機の中には、遊技盤の遊技領域内にメカ機構からなる可動体を配設し、その可動体を動作させて遊技演出などを行っているものがある。このようなパチンコ機は、例えば、特許文献１に記載されている。特許文献１に記載されたパチンコ機には、可変表示器を遊技盤に取り付けるための取付基板の上方に、左右方向に往復動作する可動体（遊技領域に発射された遊技球を受け入れる球受板部を備えた可動体と人形を模した可動体）が配設されている。そして、取付基板の裏側（即ち、遊技盤の裏側）には、可動体を動作させるための動力を発生するモータと、当該モータの動力を可動体に伝達する動力伝達機構（駆動歯車、小中間歯車、大中間歯車、従動歯車、保持板など）が装着されている。
【特許文献１】特開平８−２１５３８４号公報（段落番号［００１２］〜［００１５］、図６）
【発明の開示】
【発明が解決しようとする課題】
【０００３】
ところで、遊技盤には、遊技演出に用いる可動体や可変表示器の他にも、様々な部材が配設されている。例えば、開閉羽根を有する始動入賞口や大入賞口扉を備えた大入賞口などの各種入賞口、及び発光装飾を行う遊技盤ランプや始動保留球の記憶数を報知する保留ランプなどの各種ランプが配設されている。そして、遊技盤の裏側には、開閉羽根や大入賞口扉を動作させるためのアクチュエータ、各種入賞口に入賞した遊技球を検知するセンサなどが装着されている。さらに、遊技盤の裏側には、可変表示器の表示内容や各種ランプの発光を制御する各種制御基板、各種入賞口に入賞した遊技球やパチンコ機から払い出される遊技球を搬送する各種球通路なども装着されている。
【０００４】
そのため、パチンコ機では、限られたスペースの中に多くの部材（部品）を装着する必要があることから、各部材の構成を出来る限り簡素化し、装着スペースを出来る限り小さくすることが望ましい。特に、遊技の中心となる可変表示器の周辺は、遊技中に遊技者が最も注目する部位であることから、装飾用のランプなど様々な部材が配設されると共に、機内部にあっては制御基板などが集中して装着されている。従って、可変表示器の近傍に可動体を配設する場合には、その可動体に係る構成、即ち、モータや動力伝達機構の構成を簡素化し、装着スペースを出来る限り小さくすることが望ましい。ところが、特許文献１に記載されたパチンコ機では、モータ軸が機後側を向くようにモータが装着されている。そのため、取付基板に配設された可動体に動力を伝達するためには、モータの動力を機前側（可動体側）に向かわせるように動力伝達機構を構成しなければならない。そのため、動力伝達機構が複雑化して大型化する虞があり、モータや動力伝達機構の装着スペースを小さくするための構成として相応しいとは言えない。
【０００５】
この発明は、このような従来の技術に存在する問題点に着目してなされたものであり、その目的は、演出用可動体を動作させる構成を簡素化し、省スペースで配設することができると共に、複数の演出用可動体を所定の契機に基づき同時に動作させて興趣の向上を図ることができる遊技機を提供することにある。
【課題を解決するための手段】
【０００６】
上記問題点を解決するために、請求項１に記載の発明は、複数の演出用可動体が遊技盤の前面側に配設され、前記演出用可動体を駆動モータによって動作させることにより遊技演出が行われる遊技機において、前記複数の演出用可動体は、前記駆動モータのモータ軸線回りで回転動作を行う主可動体と、当該主可動体とは異なる位置に配設されて所定の動作を行う副可動体とからなり、前記駆動モータをモータ軸が機前側を向くように配設し、モータ軸線上に前記主可動体を配設すると共に前記副可動体に対して前記駆動モータの動力を伝達する動力伝達手段とを配設し、所定の契機に基づき、演出制御手段が前記駆動モータに所定の制御信号を出力することによって前記複数の演出用可動体を同時に動作させるように構成したことを要旨とする。
【０００７】
請求項２に記載の発明は、請求項１に記載の遊技機において、前記動力伝達手段は、前記モータ軸の回転に伴い回転運動するカム板と、当該カム板が摺動案内される摺動部を有するスライド板とからなり、前記摺動部内を前記カム板が摺動案内されることにより回転運動が直線運動に変換され、前記スライド板が前記モータ軸と直交する左右方向に往復直線運動することによって前記副可動体に動力を伝達するように構成されていることを要旨とする。
【０００８】
請求項３に記載の発明は、請求項１又は請求項２に記載の遊技機において、前記複数の演出用可動体は、複数種類の図柄を変動させて表示する表示手段を遊技盤に取り付けるための取付基板に配設されていることを要旨とする。
【発明の効果】
【０００９】
本発明によれば、演出用可動体を動作させる構成を簡素化し、省スペースで配設することができると共に、複数の演出用可動体を所定の契機に基づき同時に動作させて興趣の向上を図ることができる。
【発明を実施するための最良の形態】
【００１０】
以下、本発明をその一種であるパチンコ遊技機（以下、「パチンコ機」と示す）に具体化した一実施形態を図１〜図１０に基づき説明する。以下の説明において、「前」「後」は、パチンコ機１０を機表側（遊技者側）から見て（図１の状態）、その手前側を「前」、奥側を「後」とする。また、以下の説明において、「左」「右」「上」「下」は、特に断らない限り、パチンコ機１０を機表側（遊技者側）から見た場合（図１の状態）の「左」「右」「上」「下」とする。
【００１１】
図１には、パチンコ機１０の機表側が略示されており、機体の外郭をなす外枠１１の開口前面側には、各種の遊技用構成部材をセットする縦長方形の中枠１２が開閉及び着脱自在に組み付けられている。中枠１２の前面側には、機内部に配置された遊技盤１３を透視保護するためのガラス枠を備えた前枠１４と上球皿１５が共に横開き状態で開閉可能に組み付けられている。前枠１４の前面側及び遊技盤１３の遊技領域１３ａには、点灯（点滅）又は消灯し、発光装飾に基づく遊技演出（発光演出）を行う枠ランプ１６及び遊技盤ランプ１７が設けられている。外枠１１の下部（パチンコ機１０の下部）には、各種音声（効果音）を出力し、音声出力に基づく遊技演出（音声演出）を行うスピーカ１８が配置されている。中枠１２の下部には、下球皿１９及び発射装置２０が装着されている。
【００１２】
遊技盤１３の遊技領域１３ａの略中央には、各種の飾りが施された取付部材としての取付枠２１が装着されている。取付枠２１の略中央には、パチンコ機１０の奥行き方向に向かって開口された窓口２２が形成されており、窓口２２には、液晶ディスプレイ型の表示手段としての可変表示装置２３が装着されている。可変表示装置２３では、変動画像（又は画像表示）に基づく遊技演出（表示演出）が行われるようになっている。そして、可変表示装置２３では、表示演出に関連して、複数種類の図柄を複数列で変動させて表示する図柄組み合わせゲーム（図柄変動演出）が行われるようになっている。図柄組み合わせゲームでは、１〜８の８種類の数字を模した数字図柄が採用されている。
【００１３】
そして、遊技者は、可変表示装置２３に最終的に表示された図柄組み合わせから大当り又ははずれを認識できる。可変表示装置２３に表示された全列の図柄が同一種類の場合には、その図柄組み合わせ（例えば、［１１１］［２２２］）から大当りを認識できる。この大当りを認識できる図柄組み合わせが大当りの組み合わせとなる。大当りの組み合わせが表示された場合、遊技者には、大当り遊技状態（特別遊技状態）が付与される。また、可変表示装置２３に表示された全列の図柄が異なる種類の場合、又は１列の図柄がリーチを形成する図柄と異なる種類の場合には、その図柄組み合わせ（例えば、［２３４］［１２２］［４３４］）からはずれを認識できる。このはずれを認識できる図柄組み合わせがはずれの組み合わせとなる。
【００１４】
また、可変表示装置２３では、図柄組み合わせゲームに関連して、リーチ演出、予告演出及び再抽選演出などの様々な演出が行われるようになっている。リーチ演出は、図柄組み合わせゲームにおいて導出された特定列（例えば、遊技者側から見て左列と右列）の図柄が同一種類の図柄となってリーチが形成されてから、大当りの組み合わせ又ははずれの組み合わせが表示される迄の間に行われる演出である。予告演出は、図柄組み合わせゲームの開始直前や開始後に、リーチや大当りとなる可能性があることを遊技者に告げるために行われる演出である。再抽選演出は、図柄組み合わせゲームにおいて大当りの組み合わせを一旦表示させた後、その大当りの組み合わせを構成する図柄を再び変動させて最終的な大当りの組み合わせを導出するために行われる演出である。
【００１５】
取付枠２１は、図３〜図５に示すように、ベース部材２１ａと、当該ベース部材２１ａの前側に取着される飾り部材２１ｂから構成されている。そして、図１及び図３に示すように、飾り部材２１ｂの前面２１ｂＡ側上方（可変表示装置２３の上方）には、所定の動作による遊技演出（可動演出）を行う演出用可動体としての中可動体（主可動体）Ｋ１、上可動体（副可動体）Ｋ２、左可動体（副可動体）Ｋ３、及び右可動体（副可動体）Ｋ４が配設されている。中可動体Ｋ１は、正面視略円形の板状をなしており、所定の軸線回りで回転動作（時計回り方向の回転動作）を行うようになっている。上可動体Ｋ２は、中可動体Ｋ１の上方で、かつ、その一部が中可動体Ｋ１の前面側に重合するように配設されている。上可動体Ｋ２は、正面視略四角形の板状をなしており、中可動体Ｋ１とは異なる軸線回りで回転動作（反時計回り方向の回転動作）を行うようになっている。左可動体Ｋ３及び右可動体Ｋ４は、中可動体Ｋ１の左側及び右側に夫々配設されている。左可動体Ｋ３及び右可動体Ｋ４は、正面視略楕円形の板状をなしており、中可動体Ｋ１とは異なる軸線回りで揺動動作（左右方向への振り子動作）を行うようになっている。なお、各可動体Ｋ１〜Ｋ４は、その前面側に文字や絵などを表記したものであっても良いし、人間や動物などを立体形状にて成形したものであっても良い。また、飾り部材２１ｂには、各可動体Ｋ１〜Ｋ４の周囲に、発光演出を行う複数の装飾ランプ２４が配設されている。装飾ランプ２４は、各可動体Ｋ１〜Ｋ４の動作時に発光演出を行うようになっている。
【００１６】
また、図１に示すように、取付枠２１の下方には、図示しないアクチュエータ（ソレノイド、モータなど）の作動によって開閉動作を行う開閉羽根２５を備えた始動入賞口２６が配設されている。始動入賞口２６の奥方には、入賞した遊技球を検知する始動口センサＳＥ１（図２に示す）が設けられている。始動入賞口２６は、遊技球の入賞検知を契機に、図柄組み合わせゲームの始動条件を付与し得る。また、始動入賞口２６の下方には、図示しないアクチュエータ（ソレノイド、モータなど）の作動によって開閉動作を行う大入賞口扉２７を備えた大入賞口２８が配設されている。大入賞口２８は、図柄組み合わせゲームにおいて大当りの組み合わせが表示されたことを契機に大入賞口扉２７が開閉動作し、開放又は閉鎖されるようになっている。大当り遊技状態が付与されると、大入賞口２８が開放されて遊技球が入賞可能となるため、遊技者は、多数の賞球が獲得できるチャンスを得ることができる。
【００１７】
次に、パチンコ機１０の制御構成について図２に基づき説明する。
パチンコ機１０の機裏側には、遊技機全体を制御する主制御基板３０が装着されている。主制御基板３０は、遊技機全体を制御するための各種処理を実行し、該処理結果に応じて各種の制御コマンドを演算処理し、当該制御コマンドを所定の制御信号として出力する。また、機裏側には、可変表示装置２３の表示態様と前記各可動体Ｋ１〜Ｋ４の動作態様を制御する演出制御手段としての表示制御基板３１、前記各ランプ１６，１７，２４の発光態様を制御するランプ制御基板３２、及びスピーカ１８の音声出力態様を制御する音声制御基板３３が装着されている。前記各制御基板３１〜３３は、メイン制御手段である主制御基板３０が出力した各種の制御信号（制御コマンド）を入力し、遊技演出（表示演出、可動演出、発光演出、音声演出）の制御を実行するものであって、サブ制御手段（図２に破線で囲む）として機能するように構成されている。
【００１８】
以下、主制御基板３０及び表示制御基板３１について、その具体的な構成を図２に基づき説明する。
主制御基板３０は、メインＣＰＵ３０ａを備えており、該メインＣＰＵ３０ａにはＲＯＭ３０ｂ及びＲＡＭ３０ｃが接続されている。メインＣＰＵ３０ａは、大当り判定用乱数などの各種乱数の値を所定の周期毎に順次更新し、更新後の値をＲＡＭ３０ｃの設定領域に設定して更新前の値を書き換えている。ＲＯＭ３０ｂには、パチンコ機１０を制御するための各種制御プログラムや複数種類の変動パターンが記憶されている。変動パターンは、図柄が変動を開始（図柄組み合わせゲームの開始）してから全列の図柄が表示（図柄組み合わせゲームの終了）される迄の間の遊技演出（表示演出、可動演出、発光演出、音声演出）のベースとなるパターンを示すものである。ＲＡＭ３０ｃには、パチンコ機１０の動作中に適宜書き換えられる各種の情報が記憶（設定）されるようになっている。
【００１９】
そして、メインＣＰＵ３０ａは、遊技球の入賞検知を契機（始動口センサＳＥ１からの検知信号の入力を契機）に大当り判定用乱数の値をＲＡＭ３０ｃから読み出し、その値をＲＡＭ３０ｃの所定の領域に格納（記憶）する。また、メインＣＰＵ３０ａは、図柄組み合わせゲームの開始直前に、ＲＡＭ３０ｃに格納されている前記大当り判定用乱数の値とＲＯＭ３０ｂに記憶されている大当り判定値とを比較して大当りか否かを判定（大当り判定）し、大当り又ははずれを決定する。続いて、メインＣＰＵ３０ａは、前記大当り判定の判定結果に基づき、図柄組み合わせゲームにおいて最終的に表示する図柄組み合わせを構成する各列の図柄を選択決定すると共に、変動パターンを選択決定する。その後、メインＣＰＵ３０ａは、決定した変動パターンを指定すると共に図柄の変動開始を指示する変動パターン指定コマンドを前記各制御基板３１〜３３に出力すると共に、決定した各列の図柄を指定する図柄指定コマンドを表示制御基板３１に出力する。
【００２０】
次に、表示制御基板３１について説明する。
表示制御基板３１は、サブＣＰＵ３１ａを備えており、該サブＣＰＵ３１ａにはＲＯＭ３１ｂ及びＲＡＭ３１ｃが接続されている。ＲＯＭ３１ｂには、複数種類の演出実行データや各種の画像データ（図柄、背景、文字、キャラクタなどの画像データ）が記憶されている。演出実行データは、サブＣＰＵ３１ａが、可変表示装置２３の表示態様、及び前記各可動体Ｋ１〜Ｋ４の動作態様を制御するための情報である。この演出実行データには、リーチ演出、予告演出及び再抽選演出などを変動画像にて行わせるためのデータや、各可動体Ｋ１〜Ｋ４を動作させるためのデータが含まれている。ＲＡＭ３１ｃには、パチンコ機１０の動作中に適宜書き換えられる各種情報が記憶（設定）されるようになっている。また、サブＣＰＵ３１ａには、前記各可動体Ｋ１〜Ｋ４の駆動源となる駆動モータとしての可動体用モータ（ステッピングモータ）３５と、可動体用モータ３５の原位置を検出するための原位置スイッチ３６が接続されている。
【００２１】
従って、サブＣＰＵ３１ａは、変動パターン指定コマンドを入力すると、指定された変動パターンに対応する演出実行データをＲＯＭ３１ｂから読み出し、当該演出実行データに基づき可変表示装置２３の表示態様を制御する。即ち、サブＣＰＵ３１ａは、図柄指定コマンドで指定された図柄による図柄組み合わせ（大当りの組み合わせ又ははずれの組み合わせ）を最終的に表示させる図柄組み合わせゲームが行われるように可変表示装置２３の表示態様を制御する。また、サブＣＰＵ３１ａは、前記演出実行データに基づき前記各可動体Ｋ１〜Ｋ４に可動演出を行わせる場合、所定のタイミングで可動体用モータ３５に駆動信号を出力して駆動させ、前記各可動体Ｋ１〜Ｋ４の動作態様を制御する。なお、本実施形態においてサブＣＰＵ３１ａは、リーチ演出時、予告演出時、及び再抽選演出時に前記駆動信号を可動体用モータ３５に出力し、前記各可動体Ｋ１〜Ｋ４に可動演出を行わせるように制御する。本実施形態では、リーチ演出時、予告演出時、及び再抽選演出時が、前記各可動体Ｋ１〜Ｋ４を動作させる契機となる。
【００２２】
次に、前記各可動体Ｋ１〜Ｋ４を動作させるための作動機構ＳＴを図３〜図９に基づき詳しく説明する。
前記ベース部材２１ａの後面２１ａＢ側には、モータ軸３７が機前面側を向くように可動体用モータ３５が装着されている（図４、図５）。可動体用モータ３５は、モータ軸３７が、ベース部材２１ａの前面２１ａＡ側に挿通された状態で装着されている。本実施形態では、可動体用モータ３５（モータ軸３７）の回転方向を機表側から見て時計回り方向とする（機裏側から見た場合は反時計回り方向となる）。また、ベース部材２１ａの後面２１ａＢ側には、可動体用モータ３５の下方に位置するように、原位置スイッチ３６を搭載した位置検出基板３８が装着されている（図５）。
【００２３】
また、モータ軸３７には、ベース部材２１ａの前面２１ａＡ側に位置するように、駆動ギア３９が装着されている（図６、図９）。駆動ギア３９の前面側には、その回転中心（モータ軸３７の軸心）から所定の距離だけ離間した位置に、正面視円形をなす軸受部としての嵌合溝４０が複数（本実施形態では３つ）形成されている（図８（ａ））。また、駆動ギア３９の後面側には、当該駆動ギア３９と同心円をなすように正面視略円形の検出片（遮光板）４１が突出形成されている。検出片４１の一部には、周方向に隙間を形成するように切欠部（光検出部）４２が設けられている。そして、検出片４１は、駆動ギア３９がモータ軸３７に装着された際、位置検出基板３８の原位置スイッチ３６にて検出されるようになっている（図９）。本実施形態では、検出片４１の切欠部４２が原位置スイッチ３６で検出されることによって可動体用モータ３５の原位置が特定されるようになっている。なお、駆動ギア３９の前面は、当該駆動ギア３９がモータ軸３７に装着された状態（例えば、図６、図９）において、パチンコ機１０の機表側から見て手前側の面を示し、後面は、前記手前側の面の反対面（奥側の面）を示す。
【００２４】
前記飾り部材２１ｂの前面２１ｂＡ側には、中可動体Ｋ１が配設されている。中可動体Ｋ１は、中可動体回転軸４３の軸線が、モータ軸３７のモータ軸線Ｌ（各図において一点鎖線で示す）と同一軸線上に位置するように配設されている。中可動体Ｋ１は、中可動体回転軸４３が、飾り部材２１ｂの後面２１ｂＢ側に挿通された状態で配設されている。中可動体回転軸４３には、飾り部材２１ｂの後面２１ｂＢ側に位置するように、正面視略円形の板状をなすカム板としての回転円盤４４が装着されている。回転円盤４４は、その中心が、中可動体回転軸４３の軸心と偏心するように装着されている（図７）。そして、回転円盤４４の後面側には、当該回転円盤４４の中心（又は回転円盤４４の回転中心となる中可動体回転軸４３の軸心）から所定の距離だけ離間した位置に、正面視略円形をなす支軸としての嵌合軸４５が複数（本実施形態では３つ）形成されている。嵌合軸４５は、駆動ギア３９の前面側に形成された嵌合溝４０に嵌合し得る形状で形成されていると共に、嵌合溝４０と対応する位置（向き合う位置）に形成されている。なお、回転円盤４４の後面は、当該回転円盤４４が中可動体回転軸４３に装着された状態（例えば、図６、図９）において、パチンコ機１０の機表側から見て奥側の面を示す。
【００２５】
また、回転円盤４４には、正面視略凸状をなす板状のスライド板としての伝達板４６が装着されている（図７）。伝達板４６は、その中央に正面視縦長となる長孔状の摺動部としての案内孔４７が形成された胴部４６ａと、当該胴部４６ａを中心に左右対称となるように水平方向に延設された左腕部４６ｂと右腕部４６ｃの２本の腕部から構成されている。前記各腕部４６ｂ，４６ｃの先端には、ラック４８ａ，４８ｂが形成されている。この伝達板４６は、回転円盤４４が中可動体回転軸４３の軸線回り（モータ軸３７のモータ軸線Ｌ回り）で回転運動しながら案内孔４７の内面を摺動案内されることにより、モータ軸３７と直交する左右方向へ直線運動するようになっている。即ち、伝達板４６は、回転円盤４４の回転運動を直線運動に変換するようになっている。そして、伝達板４６は、前記各腕部４６ｂ，４６ｃが前記胴部４６ａの下側に配置されるように、飾り部材２１ｂの後面２１ｂＢに立て掛けられた状態（縦置き状態）で装着されている。また、伝達板４６は、複数（本実施形態では３つ）の支持部材４９によって左右方向への移動が許容された状態で支持され、装着されている。なお、３つの支持部材４９は、伝達板４６の胴部４６ａの上側と、各腕部４６ｂ，４６ｃに配置され、伝達板４６が後側に倒れないように支持している。
【００２６】
また、飾り部材２１ｂの前面２１ｂＡ側であって、中可動体Ｋ１の上方には、上可動体Ｋ２が配設されている。上可動体Ｋ２は、上可動体回転軸５０の軸線が、モータ軸３７のモータ軸線Ｌとは異なる位置となるように配設されている。上可動体Ｋ２は、上可動体回転軸５０が、飾り部材２１ｂの後面２１ｂＢ側に挿通された状態で配設されている。上可動体回転軸５０には、飾り部材２１ｂの後面２１ｂＢ側に位置するように、従動ギア５１が装着されている。この従動ギア５１は、モータ軸３７に装着された駆動ギア３９と噛み合うようになっている。
【００２７】
また、飾り部材２１ｂの前面２１ｂＡ側であって、中可動体Ｋ１の左方には、左可動体Ｋ３が配設されている。左可動体Ｋ３は、左可動体揺動軸５２の軸線が、モータ軸３７のモータ軸線Ｌとは異なる位置となるように配設されている。左可動体Ｋ３は、左可動体揺動軸５２が、飾り部材２１ｂの後面２１ｂＢ側に挿通された状態で配設されている。左可動体揺動軸５２には、飾り部材２１ｂの後面２１ｂＢ側に位置するように、ピニオン５３ａが装着されている。このピニオン５３ａは、伝達板４６を構成する左腕部４６ｂのラック４８ａと噛み合うようになっている。また、飾り部材２１ｂの前面２１ｂＡ側であって、中可動体Ｋ１の右方には、右可動体Ｋ４が配設されている。右可動体Ｋ４は、右可動体揺動軸５４の軸線が、モータ軸３７のモータ軸線Ｌとは異なる位置となるように配設されている。右可動体Ｋ４は、右可動体揺動軸５４が、飾り部材２１ｂの後面２１ｂＢ側に挿通された状態で配設されている。右可動体揺動軸５４には、飾り部材２１ｂの後面２１ｂＢ側に位置するように、ピニオン５３ｂが装着されている。このピニオン５３ｂは、伝達板４６を構成する右腕部４６ｃのラック４８ｂと噛み合うようになっている。
【００２８】
そして、本実施形態の作動機構ＳＴでは、前述のように、ベース部材２１ａ側と飾り部材２１ｂ側に分けて作動機構ＳＴの構成部材が装着されている。より詳しく言えば、ベース部材２１ａ側には、可動体用モータ３５（モータ軸３７）、位置検出基板３８（原位置スイッチ３６）、及び駆動ギア３９（嵌合溝４０）が装着されている。その一方で、飾り部材２１ｂ側には、各可動体Ｋ１〜Ｋ４の各軸４３，５０，５２，５４、回転円盤４４（嵌合軸４５）、伝達板４６（各ラック４８ａ，４８ｂ）、従動ギア５１、及び各ピニオン５３ａ，５３ｂが装着されている。そのため、作動機構ＳＴは、モータ軸３７に装着された駆動ギア３９の嵌合溝４０と中可動体回転軸４３に装着された回転円盤４４の嵌合軸４５を嵌合させるようにベース部材２１ａと飾り部材２１ｂを取り付けることによって、可動体用モータ３５の動力を前記各可動体Ｋ１〜Ｋ４に付与し得る機構とされる。
【００２９】
そして、ベース部材２１ａと飾り部材２１ｂとを取り付けた状態で、可動体用モータ３５と中可動体Ｋ１を含む各可動体Ｋ１〜Ｋ４は、駆動ギア３９と回転円盤４４によって作動連結されると共に、その連結状態が解除（ベース部材２１ａから飾り部材２１ｂを脱着）されると、分離されるようになっている。作動連結とは、一方の手段（本実施形態では可動体用モータ３５）と他方の手段（本実施形態では各可動体Ｋ１〜Ｋ４）との間が、一方の手段から他方の手段へ動力伝達が可能な状態で機構的に連結されていることをいう。
【００３０】
また、作動機構ＳＴは、ベース部材２１ａと飾り部材２１ｂとを取り付けた状態において、モータ軸３７のモータ軸線Ｌ上に、駆動ギア３９、回転円盤４４、伝達板４６、中可動体回転軸４３、及び中可動体Ｋ１が配設されるようになっている（例えば、図６参照）。このように配設された駆動ギア３９、回転円盤４４、及び中可動体Ｋ１は、モータ軸３７が機前面側を向いていることから、モータ軸線Ｌ回りで回転運動（機表側から見て時計回り方向の回転運動）を行う。また、上可動体Ｋ２は、駆動ギア３９を通じて伝達された動力を受けて、該駆動ギア３９に噛合された従動ギア５１が回転運動（機表側から見て反時計回り方向の回転運動）することによって、上可動体回転軸５０の軸線回りで回転運動を行う。また、左可動体Ｋ３と右可動体Ｋ４は、回転円盤４４と伝達板４６を通じて伝達された動力を受けて、各ラック４８ａ，４８ｂに噛合された各ピニオン５３ａ，５３ｂが揺動運動（機表側から見て左右方向の揺動動作）することによって、前記各揺動軸５２，５４の軸線回りで揺動運動を行う。
【００３１】
本実施形態では、駆動ギア３９が、上可動体Ｋ２に対して可動体用モータ３５の動力を伝達する動力伝達手段として機能するようになっている。また、本実施形態では、回転円盤４４と伝達板４６が、左可動体Ｋ３と右可動体Ｋ４に対して可動体用モータ３５の動力を伝達する動力伝達手段として機能するようになっている。さらに、本実施形態では、駆動ギア３９が第１連結手段として機能するように兼用されていると共に、回転円盤４４が第２連結手段として機能するように兼用されている。なお、図９（ａ）は、作動機構ＳＴを図６に示す矢印Ａの方向から見た図であり、図９（ｂ）は、作動機構ＳＴを図６に示す矢印Ｂの方向から見た図である。また、図９（ｃ）は、作動機構ＳＴを図６に示す矢印Ｃの方向から見た図であり、図９（ｃ）では、伝達板４６を省略している。
【００３２】
以下、可動演出が行われる態様を図１０に基づき説明する。図１０には、飾り部材２１ｂを機裏側から見た様子を示しており、中可動体Ｋ１、上可動体Ｋ２、及び従動ギア５１は省略されている。なお、以下の説明及び図１０には、回転運動に伴う回転方向、及び直線運動と揺動運動に伴う左右方向として機裏側から見た場合の方向を示している。
【００３３】
図１０（ａ）には、可動演出が行われていない時の左可動体Ｋ３と右可動体Ｋ４を示している（機表側から見た場合は図３に示すようになる）。この時、左可動体Ｋ３と右可動体Ｋ４は、左右方向へ傾いておらず、略垂直に立った姿勢で動作を停止している。また、伝達板４６は、左右方向の略中央に位置している。
【００３４】
そして、表示制御基板３１のサブＣＰＵ３１ａは、指定された変動パターンに対応する演出実行データに基づき前記各可動体Ｋ１〜Ｋ４に可動演出を行わせる場合、可動体用モータ３５に対して駆動信号を出力する。前記駆動信号が出力されると、可動体用モータ３５は、駆動を開始し、モータ軸３７が反時計回り方向に回転する。そして、可動体用モータ３５が駆動すると、その回転力を受けて駆動ギア３９が回転運動すると共に、該駆動ギア３９の回転運動に連動して回転円盤４４、及び従動ギア５１が回転運動する。加えて、回転円盤４４が回転運動しながら案内孔４７の内周を摺動案内されることにより、伝達板４６が左右方向へ直線運動する。
【００３５】
その結果、中可動体Ｋ１、上可動体Ｋ２、左可動体Ｋ３、及び右可動体Ｋ４は、可動体用モータ３５の動力が一斉に付与されることによって同時に動作を開始する。即ち、中可動体Ｋ１は、モータ軸３７のモータ軸線Ｌ回りで反時計回り方向に回転動作し、可動演出を行う。上可動体Ｋ２は、駆動ギア３９を介して動力伝達された従動ギア５１が時計回り方向に回転運動することによって、上可動体回転軸５０の軸線回りで時計回り方向に回転動作し、可動演出を行う。即ち、中可動体Ｋ１と上可動体Ｋ２は、逆方向に回転動作して可動演出を行う。
【００３６】
また、図１０（ａ）の状態から図１０（ｂ）に示すように回転円盤４４が反時計回り方向に略９０度回転運動して行くと、伝達板４６は、回転円盤４４の回転運動を受けて右方向に移動する。このように伝達板４６が右方向に移動すると、左可動体Ｋ３と右可動体Ｋ４は、伝達板４６を介して動力伝達された各ピニオン５３ａ，５３ｂが反時計回り方向に揺動運動することによって、各揺動軸５２，５４の軸線回りで反時計回り方向に揺動動作し、可動演出を行う。また、図１０（ｂ）の状態から図１０（ｃ）に示すように回転円盤４４が反時計回り方向にさらに略１８０度回転運動して行くと、伝達板４６は、回転円盤４４の回転運動を受けて左方向に移動する。このように伝達板４６が左方向に移動すると、左可動体Ｋ３と右可動体Ｋ４は、伝達板４６を介して動力伝達された各ピニオン５３ａ，５３ｂが時計回り方向に揺動運動することによって、各揺動軸５２，５４の軸線回りで時計回り方向に揺動動作し、可動演出を行う。即ち、左可動体Ｋ３と右可動体Ｋ４は、同一方向に揺動動作して可動演出を行う。
【００３７】
以上説明した各可動体Ｋ１〜Ｋ４の可動演出は、演出実行データに基づき、所定時間の間、継続して行われる。即ち、表示制御基板３１のサブＣＰＵ３１ａは、所定時間が経過する迄の間、可動体用モータ３５を駆動させる。その結果、所定時間の間、駆動ギア３９と回転円盤４４は反時計回り方向に回転運動すると共に、伝達板４６は左右方向に往復直線運動する。そして、前記所定時間の経過後、表示制御基板３１のサブＣＰＵ３１ａは、可動体用モータ３５の駆動を停止させ、可動演出を終了させると、各可動体Ｋ１〜Ｋ４は各動作を停止させて図１０（ａ）の状態に戻る。
【００３８】
従って、本実施形態によれば、以下に示す効果を得ることができる。
（１）可動体用モータ３５をモータ軸３７が機表側（即ち、各可動体Ｋ１〜Ｋ４側）を向くように配設し、可動体用モータ３５の動力を各可動体Ｋ１〜Ｋ４側に直接的に向けるようにした。そのため、可動体用モータ３５のモータ軸線Ｌ上に、中可動体Ｋ１を配設すると共に、上可動体Ｋ２、左可動体Ｋ３及び右可動体Ｋ４に対して動力を伝達する手段（駆動ギア３９、回転円盤４４、伝達板４６）を配設することができ、各可動体Ｋ１〜Ｋ４を動作させる構成（作動機構ＳＴ）を簡素化できる。従って、前記構成の簡素化によって、前記構成を省スペースで配設することができる。
【００３９】
（２）また、モータ軸線Ｌ上に、中可動体Ｋ１を配設すると共に、上可動体Ｋ２、左可動体Ｋ３及び右可動体Ｋ４に対して動力を伝達する手段（駆動ギア３９、回転円盤４４、伝達板４６）を配設することで、各可動体Ｋ１〜Ｋ４には一斉に動力が与えられる。そのため、各可動体Ｋ１〜Ｋ４（複数の演出用可動体）は、同時に動作を開始して可動演出を行うため、迫力があり、かつ、面白みがある可動演出を実現できる。従って、興趣の向上を図ることができる。さらに、中可動体Ｋ１と上可動体Ｋ２は、逆方向に回転動作すると共に、左可動体Ｋ３と右可動体Ｋ４は、中可動体Ｋ１及び上可動体Ｋ２とは異なり揺動動作するため、様々な動作によって可動演出が行われる。そのため、迫力があり、かつ、面白みがある可動演出を実現でき、より一層興趣の向上を図ることができる。
【００４０】
（３）また、モータ軸線Ｌ上に、上可動体Ｋ２、左可動体Ｋ３及び右可動体Ｋ４に動力を伝達する手段（駆動ギア３９、回転円盤４４、伝達板４６）を配設することで、前記手段に対して可動体用モータ３５から直接的に動力を与えることができる。そのため、各可動体Ｋ１〜Ｋ４を動作させる構成（作動機構ＳＴ）を簡素化できる。また、可動体用モータ３５から回転円盤４４に対して直接的に動力が与えられるため、回転運動を直線運動に変換させる場合であっても、回転円盤４４の回転運動を伝達板４６の直線運動に確実に変換することができる。
【００４１】
（４）各可動体Ｋ１〜Ｋ４を動作させる構成（作動機構ＳＴ）を簡素化することによって、遊技者が最も注目する可変表示装置２３の周辺に、各可動体Ｋ１〜Ｋ４（作動機構ＳＴ）を省スペースで配設することができる。また、各可動体Ｋ１〜Ｋ４の周囲に装飾ランプ２４を無理なく配設することができ、各可動体Ｋ１〜Ｋ４の演出効果をさらに高めることができる。
【００４２】
（５）可動体用モータ３５のモータ軸３７と中可動体Ｋ１の中可動体回転軸４３とを別々に設けた（別部材構成とした）。そのため、可動体用モータ３５のモータ軸３７に中可動体Ｋ１を直接取り付ける場合に比して、モータ軸３７に掛かる負荷を低減させることができる。特に、本実施形態のように、複数の演出用可動体（各可動体Ｋ１〜Ｋ４）を動作させる場合には、駆動ギア３９、回転円盤４４及び伝達板４６なども必要であり、これらの部材全てをモータ軸３７に装着すると多大な負荷を掛けることになる。従って、モータ軸３７と中可動体回転軸４３とを別々に設け、前記各軸３７，４３に前記部材を分けて装着することで、モータ軸３７に掛かる負荷をさらに低減させることができる。
【００４３】
（６）また、可動体用モータ３５のモータ軸３７と中可動体Ｋ１の中可動体回転軸４３とを別々に設けることにより、可動体用モータ３５（ベース部材２１ａに装着した部材）と中可動体Ｋ１（飾り部材２１ｂ側に装着した部材）を分離させることができる。従って、例えば、回転円盤４４や伝達板４６などの破損によって交換する場合であっても、ベース部材２１ａから飾り部材２１ｂを取り外せば良く、メンテナンス性を向上させることができる。
【００４４】
（７）駆動ギア３９に嵌合溝４０を形成すると共に、回転円盤４４に前記嵌合溝４０に嵌合し得る嵌合軸４５を形成した。そのため、駆動ギア３９（可動体用モータ３５（ベース部材２１ａ）側）と回転円盤４４（中可動体Ｋ１（飾り部材２１ｂ）側）とを連結する際の位置決めとして使用でき、組み付け性を向上させることができる。また、可動体用モータ３５の動力は、モータ軸３７の軸心から離間した位置に形成された嵌合溝４０と嵌合軸４５を介して回転円盤４４に伝えられる。そのため、回転円盤４４に作用する力が大きくなり、可動体用モータ３５の動力によって複数の演出用可動体（各可動体Ｋ１〜Ｋ４）を動作させる場合であっても、無理無く動作させることができる。さらに、駆動ギア３９及び回転円盤４４を、連結する手段と動力を伝達する手段とで兼用することで、作動機構ＳＴの構成をさらに簡素化できる。
【００４５】
なお、本実施形態は以下のように変更してもよい。
・前記実施形態では、駆動ギア３９に嵌合溝４０を形成すると共に回転円盤４４に嵌合軸４５を形成しているが、駆動ギア３９に嵌合軸４５を形成すると共に回転円盤４４に嵌合溝４０を形成しても良い。また、嵌合溝４０と嵌合軸４５の数は、１つ又は２つなどに変更しても良い。
【００４６】
・前記実施形態では、中可動体Ｋ１、上可動体Ｋ２、左可動体Ｋ３及び右可動体Ｋ４によって可動演出を行っているが、上可動体Ｋ２を省略し、中可動体Ｋ１、左可動体Ｋ３及び右可動体Ｋ４で可動演出を行うようにしても良い。この場合、駆動ギア３９、従動ギア５１及び上可動体回転軸５０も省略される。このとき、回転円盤４４に連結するための嵌合溝４０が形成された連結手段（例えば、円板）をモータ軸３７に装着しても良いし、モータ軸３７に回転円盤４４を直結するようにしても良い。また、左可動体Ｋ３及び右可動体Ｋ４を省略し、中可動体Ｋ１と上可動体Ｋ２で可動演出を行うようにしても良い。また、モータ軸３７に対し、中可動体Ｋ１、駆動ギア３９及び回転円盤４４を直結するようにしても良い。
【００４７】
・前記実施形態では、各可動体Ｋ１〜Ｋ４（可動体用モータ３５）が表示制御基板３１で制御されているが、主制御基板３０、ランプ制御基板３２又は音声制御基板３３で制御されるようにしても良い。また、各可動体Ｋ１〜Ｋ４（可動体用モータ３５）を制御する専用の制御基板を設けても良い。また、各可動体Ｋ１〜Ｋ４に可動演出を行わせるタイミング（契機）は、リーチ演出、予告演出及び再抽選演出などに限らず、変更しても良い。
【００４８】
・前記実施形態において、可動体用モータ３５の回転方向を、一方向に限らず、双方向としても良い。そして、可動演出を行うタイミングに応じて、可動体用モータ３５の回転方向を変更するようにしても良い。
【００４９】
次に、本実施形態及び別例から把握できる技術的思想を以下に追記する。
（イ）前記駆動モータと前記主可動体は、前記駆動モータのモータ軸に装着された第１連結手段と前記主可動体の回転軸に装着された第２連結手段とにより作動連結され、その連結状態を解除することにより前記駆動モータと前記主可動体は分離可能に構成されていることを特徴とする請求項１〜請求項３のうちいずれか一項に記載の遊技機。
【００５０】
（ロ）前記第１連結手段及び前記第２連結手段には、いずれか一方に前記モータ軸の軸心から離間した位置に支軸が形成されていると共に他方に前記支軸が嵌合される軸受部が形成されており、前記支軸と前記軸受部とを嵌合させることによって前記第１連結手段と第２連結手段とが連結され、前記第２連結手段は、前記副可動体に対して前記駆動モータの動力を伝達する動力伝達手段の一部又は全部を構成していることを特徴とする前記技術的思想（イ）に記載の遊技機。
【図面の簡単な説明】
【００５１】
【図１】パチンコ遊技機の機表側を示す正面図。
【図２】パチンコ遊技機の制御構成を示すブロック図。
【図３】取付枠の一部を示す正面図。
【図４】取付枠を示す平面図。
【図５】取付枠の一部を示す側面図。
【図６】各可動体、及びその作動機構を示す斜視図。
【図７】飾り部材を示す背面図。
【図８】（ａ）は、駆動ギアの正面図、（ｂ）は、駆動ギアの背面図。
【図９】（ａ）は、作動機構を示す下面図、（ｂ）は、同じく側面図、（ｃ）は、同じく背面図。
【図１０】（ａ）〜（ｃ）は、可動演出が行われる態様を示す模式図。
【符号の説明】
【００５２】
Ｋ１…中可動体（演出用可動体、主可動体）、Ｋ２…上可動体（演出用可動体、副可動体）、Ｋ３…左可動体（演出用可動体、副可動体）、Ｋ４…右可動体（演出用可動体、副可動体）、Ｌ…モータ軸線、１０…パチンコ遊技機（遊技機）、１３…遊技盤、２１…取付枠（取付部材）、２３…可変表示装置（表示手段）、３５…可動体用モータ（駆動モータ）、３７…モータ軸、３９…駆動ギア（動力伝達手段、第１連結手段）、４０…嵌合溝（軸受部）、４４…回転円盤（動力伝達手段、カム板、第２連結手段）、４５…嵌合軸（支軸）、４６…伝達板（動力伝達手段、スライド板）、４７…案内孔（摺動部）。
【図１】
2005177013.tif 000003
【図２】
2005177013.tif 000004
【図３】
2005177013.tif 000005
【図４】
2005177013.tif 000006
【図５】
2005177013.tif 000007
【図６】
2005177013.tif 000008
【図７】
2005177013.tif 000009
【図８】
2005177013.tif 000010
【図９】
2005177013.tif 000011
【図１０】
2005177013.tif 000012